(57)【要約】      （修正有）【課題】簡易な操作によって装置間でデータを移行する画像形成装置を提供する。【解決手段】情報処理システム１は、移行元の複合機２と、移行先の複合機と、移行元及び移行先の複合機とネットワーク５を介して通信可能なサーバー３と、移行元及び移行先の複合機と近距離無線通信が可能で、ネットワークを介してサーバーと通信可能なユーザー端末４とを備える。移行元の複合機は、ユーザー端末との近距離無線通信に応じて移行データのエクスポートを開始し、データ識別情報を付加した移行データをサーバーへ送信し、サーバーは、移行元の複合機から移行データを受信して記憶する。移行先の複合機は、ユーザー端末との近距離無線通信に応じて移行データのインポートを開始し、サーバーは、データ識別情報に基づいて移行データを読み出して移行先の複合機へ送信し、移行先の複合機は、サーバーから移行データを受信して記憶する。【選択図】図１
2020182097.tif 000002
【特許請求の範囲】
【請求項１】
データ移行元の第１情報処理装置と、
データ移行先の第２情報処理装置と、
前記第１情報処理装置及び前記第２情報処理装置と所定のネットワークを介して通信可能なサーバーと、
前記第１情報処理装置及び前記第２情報処理装置と近距離無線通信が可能で、前記ネットワークを介して前記サーバーと通信可能なユーザー端末と、
を備え、
前記第１情報処理装置は、前記ユーザー端末との近距離無線通信に応じて所定の移行データのエクスポートを開始し、所定のデータ識別情報を付加した前記移行データを前記サーバーへ送信し、
前記サーバーは、前記第１情報処理装置から前記移行データを受信して記憶し、
前記第２情報処理装置は、前記ユーザー端末との近距離無線通信に応じて前記移行データのインポートを開始し、
前記サーバーは、前記データ識別情報に基づいて前記移行データを読み出して前記第２情報処理装置へ送信し、
前記第２情報処理装置は、前記サーバーから前記移行データを受信して記憶することを特徴とする情報処理システム。
【請求項２】
前記第１情報処理装置は、前記エクスポートを開始するとき、該第１情報処理装置の移行元情報と前記データ識別情報とを近距離無線通信によって前記ユーザー端末へ送信し、
前記ユーザー端末は、前記第１情報処理装置から受信した前記移行元情報を前記サーバーへ送信し、
前記サーバーは、前記ユーザー端末から受信した前記移行元情報に基づいて前記第１情報処理装置へデータ送信要求を送信し、
前記第１情報処理装置は、前記サーバーから受信した前記データ送信要求に応じて、前記移行データを前記サーバーへ送信することを特徴とする請求項１に記載の情報処理システム。
【請求項３】
前記第１情報処理装置は、前記エクスポートを開始するとき、前記データ識別情報を近距離無線通信によって前記ユーザー端末へ送信し、該第１情報処理装置の移行元情報を前記サーバーへ送信し、
前記サーバーは、前記第１情報処理装置から受信した前記移行元情報に基づいて前記第１情報処理装置へデータ送信要求を送信し、
前記第１情報処理装置は、前記サーバーから受信した前記データ送信要求に応じて、前記移行データを前記サーバーへ送信することを特徴とする請求項１に記載の情報処理システム。
【請求項４】
前記第２情報処理装置は、前記インポートを開始するとき、前記データ識別情報を近距離無線通信によって前記ユーザー端末から受信し、前記データ識別情報及び該第２情報処理装置の移行先情報を前記サーバーへ送信し、
前記サーバーは、前記第２情報処理装置から受信した前記データ識別情報及び前記移行先情報に基づいて前記移行データを前記第２情報処理装置へ送信することを特徴とする請求項１〜３の何れか１項に記載の情報処理システム。
【請求項５】
前記第２情報処理装置は、前記インポートを開始するとき、該第２情報処理装置の移行先情報を近距離無線通信によって前記ユーザー端末へ送信し、
前記ユーザー端末は、前記第２情報処理装置から受信した前記移行先情報及び前記エクスポートで受信した前記データ識別情報を前記サーバーへ送信し、
前記サーバーは、前記ユーザー端末から受信した前記データ識別情報及び前記移行先情報に基づいて前記移行データを前記第２情報処理装置へ送信することを特徴とする請求項１〜３の何れか１項に記載の情報処理システム。
【請求項６】
前記第１情報処理装置及び前記第２情報処理装置は、それぞれ画像形成装置で構成されることを特徴とする請求項１〜５の何れか１項に記載の情報処理システム。
【発明の詳細な説明】
【技術分野】
【０００１】
本発明は、画像形成装置等の情報処理装置間でデータを移行する情報処理システムに関する。
【背景技術】
【０００２】
画像形成装置等の情報処理装置では、例えば、新旧の情報処理装置の入れ替え等を行うときに、装置間でデータを移行することがある。このとき、古い情報処理装置から移行するデータをＵＳＢメモリ等の外部メモリに一旦記憶して、新しい情報処理装置に記憶させるまで保持しておく必要がある。
【０００３】
例えば、特許文献１の通信装置は、出力装置との近接無線通信を行う通信部として、データを書き込み可能な不揮発性メモリを内蔵する近接無線通信部を有する。通信装置は、当該通信装置で管理されているデータの内、バックアップ対象となっているバックアップデータを不揮発性メモリに保存する保存手段と、
当該通信装置への電力が供給されていない給電停止状態である場合に、不揮発性メモリに保存されているバックアップデータを、近接無線通信部を介して出力装置へ出力する出力手段とを備える。
【先行技術文献】
【特許文献】
【０００４】
【特許文献１】特開２０１３−１８７５７０号公報
【発明の概要】
【発明が解決しようとする課題】
【０００５】
しかしながら、画像形成装置等の情報処理装置のユーザーは、セキュリティの保護等を目的として、外部メモリの使用を許可していない場合がある。この場合、新旧の情報処理装置間でデータを移行することができないので、新しい情報処理装置のセットアップを行う作業者は、旧装置と同じ設定を新装置に対して行う必要がある。そのため、作業者に負担が掛かる上、セットアップに時間が掛かることになる。
【０００６】
そこで、本発明は上記事情を考慮し、簡易な操作によって装置間でデータを移行することを目的とするものである。
【課題を解決するための手段】
【０００７】
上記した目的を達成するため、本発明の情報処理システムは、データ移行元の第１情報処理装置と、データ移行先の第２情報処理装置と、前記第１情報処理装置及び前記第２情報処理装置と所定のネットワークを介して通信可能なサーバーと、前記第１情報処理装置及び前記第２情報処理装置と近距離無線通信が可能で、前記ネットワークを介して前記サーバーと通信可能なユーザー端末と、を備え、前記第１情報処理装置は、前記ユーザー端末との近距離無線通信に応じて所定の移行データのエクスポートを開始し、所定のデータ識別情報を付加した前記移行データを前記サーバーへ送信し、前記サーバーは、前記第１情報処理装置から前記移行データを受信して記憶し、前記第２情報処理装置は、前記ユーザー端末との近距離無線通信に応じて前記移行データのインポートを開始し、前記サーバーは、前記データ識別情報に基づいて前記移行データを読み出して前記第２情報処理装置へ送信し、前記第２情報処理装置は、前記サーバーから前記移行データを受信して記憶することを特徴とする。
【発明の効果】
【０００８】
本発明によれば、簡易な操作によって装置間でデータを移行することができる。
【図面の簡単な説明】
【０００９】
【図１】本発明の実施形態に係る情報処理システムの構成を示すブロック図である。
【図２】本発明の実施形態に係る複合機を示す断面図である。
【図３】本発明の実施形態に係る情報処理システムのデータ移行動作を示すフローチャートである。
【発明を実施するための形態】
【００１０】
先ず、本発明の実施形態に係る情報処理システム１について図１を参照しながら説明する。情報処理システム１は、情報処理装置として複数の複合機２（画像形成装置）と、サーバー３と、ユーザー端末４とを備える。複数の複合機２及びユーザー端末４は、インターネット等の所定のネットワーク５を介してサーバー３に通信可能に接続される。なお、各複合機２とユーザー端末４とは、ＮＦＣ（Ｎｅａｒ  Ｆｉｅｌｄ  Ｃｏｍｍｕｎｉｃａｔｉｏｎ）等の近距離無線通信によって通信可能である。
【００１１】
次に、複数の複合機２について説明する。例えば、複数の複合機２として、新旧の複合機２の入れ替え等において複合機２間でデータを移行する場合に、データ移行元の複合機２（第１情報処理装置）とデータ移行先の複合機２（第２情報処理装置）とがある。データ移行元かデータ移行先かに拘らず、複数の複合機２は、それぞれ同様に構成されてよいので、以下では、１つの複合機２について図２を参照しながら説明する。以下、説明の便宜上、図２における紙面手前側を複合機２の前側とする。各図に適宜付される矢印Ｌ、Ｒ、Ｕ、Ｌｏは、それぞれ複合機２の左側、右側、上側、下側を示す。
【００１２】
複合機２は、箱型の装置本体１０を備える。装置本体１０内の下部には用紙を収納する複数の給紙カセット１１が設けられる。装置本体１０の上部の胴内空間には、排紙トレイ１２が設けられる。
【００１３】
装置本体１０の上部には、原稿を読み取って画像データを取得する画像読取部１３が設けられ、画像読取部１３は、プラテンガラスや読取スリットを上面に備える。画像読取部１３の上方には、原稿を搬送して読取スリットを通過させる原稿搬送部１４が設けられる。画像読取部１３は、プラテンガラス上に載置された原稿や読取スリットを通過する原稿の画像をスキャナーによって読み取って画像データを生成する画像読取動作を行う。
【００１４】
更に、装置本体１０の上部には、操作表示部１５や近距離無線通信部１６が正面側に取り付けられる。操作表示部１５は、例えば、テンキー、スタートキー、システムメニューキー等の各種操作キーやタッチパネル等の操作部を備えてユーザーからの操作を受け付け、タッチパネルを覆う液晶パネル等の表示器を備えて各種画面を表示する。各種操作キーは、タッチパネルに設けられてもよい。
【００１５】
近距離無線通信部１６は、ＮＦＣ等の近距離無線通信によって、ユーザー端末４との間で情報信号の送受信を行う。近距離無線通信部１６は、情報信号の送受信を行うために、リーダー／ライター機能や、Ｐ２Ｐ（Ｐｅｅｒ  ｔｏ  Ｐｅｅｒ）等の機器間通信機能の何れの機能を利用してもよい。
【００１６】
装置本体１０の中央部には、中間転写ベルト２０が複数のローラー間に架設される。中間転写ベルト２０の下側には、画像を形成する４つの画像形成部２１がトナーの色（例えば、イエロー、マゼンタ、シアン、ブラックの４色）毎に設けられる。４つの画像形成部２１の下方には、露光部２２が設けられる。中間転写ベルト２０の右端には、二次転写部２３が設けられ、中間転写ベルト２０の左端には、中間転写ベルト２０を清掃するクリーニングユニット２４が設けられる。二次転写部２３は、中間転写ベルト２０の右端側の一部と二次転写ローラーとで構成される。
【００１７】
各画像形成部２１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部２１と対応するトナーコンテナが、トナーの色（例えば、イエロー、マゼンタ、シアン、ブラックの４色）毎に設けられ、各トナーコンテナは、各色のトナーを収容する。
【００１８】
装置本体１０の右部には、用紙の搬送経路２５が設けられる。搬送経路２５の上流部には、複数の給紙部２６が複数の給紙カセット１１毎に設けられる。搬送経路２５の中流部には、上記の二次転写部２３が設けられる。搬送経路２５の下流部には、定着部２７が設けられ、搬送経路２５の下流端には排紙部２８が設けられる。
【００１９】
次に、複合機２の画像形成動作について説明する。先ず、各画像形成部２１において、帯電部が感光体ドラムを帯電した後、画像データに基づいて露光部２２が感光体ドラムを露光して、感光体ドラム上に静電潜像が形成される。感光体ドラム上の静電潜像は、現像部によって各色のトナー像に現像される。感光体ドラム上の各色のトナー像は、一次転写部によって中間転写ベルト２０の表面に一次転写される。以上の動作を４つの画像形成部２１が順次行うことによって、中間転写ベルト２０上にフルカラーのトナー像が形成される。トナー像は、中間転写ベルト２０の回転によって、所定の二次転写タイミングで二次転写部２３へ供給される。
【００２０】
また、給紙カセット１１に収納された用紙が、給紙部２６によって取り出されて搬送経路２５上を搬送される。搬送経路２５上の用紙は、上記の所定の二次転写タイミングで二次転写部２３へ搬送される。二次転写部２３では、中間転写ベルト２０上のトナー像が用紙に二次転写される。トナー像を二次転写された用紙は、搬送経路２５を下流側へ搬送されて、定着部２７によってトナー像が用紙に定着された後、排紙部２８から排紙トレイ１２へ排出される。
【００２１】
次に、複合機２の電気的な構成について図１を参照しながら説明する。複合機２は、ＣＰＵ等からなる制御部３０と、ＲＯＭやＲＡＭ、ＨＤＤ等からなる記憶部３１とを装置本体１０の内部に備える。制御部３０は、記憶部３１に接続されていて、記憶部３１に記憶された制御プログラムや制御用データに基づいて演算処理を実行することにより、制御部３０に接続された複合機２の各構成要素を制御する。
【００２２】
例えば、制御部３０は、操作表示部１５、近距離無線通信部１６及び画像形成部２１等の構成要素に接続されていて、これらの構成要素を制御する。制御部３０は、通信部３２に接続されていて、通信部３２は、ネットワーク５を介してサーバー３と通信可能に接続される。通信部３２は、例えば、複合機２の起動や、操作表示部１５の操作によるペアリング実行に応じて、サーバー３とのペアリングを確立して、サーバー３と常時接続していてよい。また、制御部３０は、記憶部３１に記憶されるデータ移行処理プログラムを実行することにより、データ移行処理部３３として機能する。
【００２３】
記憶部３１は、例えば、操作表示部１５の操作を介してユーザーによって設定されるデータとして、カラー濃度等の印刷設定、送信機能やファクシミリ機能等に用いられるアドレス帳、ユーザーに固有のシステム設定を記憶している。なお、これらのデータは、記憶部３１の特定の保存場所（フォルダのパス等）に記憶されることで、画像形成動作、送信機能、ファクシミリ機能、操作表示部１５の表示機能等の複合機２の各動作によって適宜読み出されて使用される。従って、これらのデータは、他の複合機２でも各動作に対応する保存場所に記憶されることで使用可能となるので、新旧の複合機２を入れ替え等において複合機２間で移行される移行データとなる。
【００２４】
データ移行処理部３３は、ユーザー端末４のデータ移行補助アプリケーションの実行に応じて、複合機２間で移行データを移行する際に実行される。移行元の複合機２（古い複合機２等）のデータ移行処理部３３は、移行データをサーバー３に一次記憶させるエクスポート機能を実行する。移行先の複合機２（新しい複合機２等）のデータ移行処理部３３は、移行データをサーバー３から取得するインポート機能を実行する。
【００２５】
先ず、データ移行処理部３３のエクスポート機能について説明する。データ移行処理部３３は、近距離無線通信部１６を介してユーザー端末４からエクスポート準備要求を受信すると、自身（移行元）の複合機２のＩＰアドレス等の移行元情報を発行する。このとき、データ移行処理部３３は、移行データに付加するシリアルナンバー等のデータ識別情報も発行する。データ識別情報は、他のデータ識別情報との重複を避けるように決定されるとよく、例えば、各複合機２に固有の情報を含むとよい。データ移行処理部３３は、エクスポート準備要求に応答して、移行元情報及びデータ識別情報を、近距離無線通信部１６を介してユーザー端末４へ送信する。
【００２６】
また、データ移行処理部３３は、通信部３２を介してサーバー３からデータ送信要求を受信すると、移行データを記憶部３１から読み出してサーバー３へ送信する。このとき、データ移行処理部３３は、例えば、テキストファイル形式で移行データを作成する。また、データ移行処理部３３は、移行データにデータ識別情報を付加し、例えば、移行データの先頭の数ビットにデータ識別情報を挿入する。
【００２７】
次に、データ移行処理部３３のインポート機能について説明する。データ移行処理部３３は、近距離無線通信部１６を介してユーザー端末４からインポート準備要求を受信すると、自身（移行先）の複合機２のＩＰアドレス等の移行先情報を発行する。なお、このインポート準備要求には、データ識別情報が含まれる。データ移行処理部３３は、インポート準備要求に応じて、移行先情報及びデータ識別情報を含むインポート開始要求を、通信部３２を介してサーバー３へ送信する。
【００２８】
また、データ移行処理部３３は、インポート開始要求への応答として移行データを、通信部３２を介してサーバー３から受信する。データ移行処理部３３は、受信した移行データを、移行先の複合機２の各動作で使用できるように、記憶部３１の各動作に対応する保存場所に記憶することでインポートを行う。データ移行処理部３３は、移行データのインポートを完了すると、インポート完了通知を、近距離無線通信部１６を介してユーザー端末４へ送信し、又は、サーバー３を介してユーザー端末４へ送信する。
【００２９】
次に、サーバー３について説明する。サーバー３は、ユーザー端末４で実行されるデータ移行補助アプリケーションのサービスを運用するサーバーである。
【００３０】
サーバー３の電気的な構成について図１を参照しながら説明する。サーバー３は、ＣＰＵ等からなる制御部４０と、ＲＯＭやＲＡＭ、ＨＤＤ等からなる記憶部４１とを備える。制御部４０は、記憶部４１に接続されていて、記憶部４１に記憶された制御プログラムや制御用データに基づいて演算処理を実行することにより、制御部４０に接続されたサーバー３の各構成要素を制御する。
【００３１】
例えば、制御部４０は、通信部４２に接続されていて、通信部４２は、ネットワーク５を介して複数の複合機２やユーザー端末４と通信可能に接続される。例えば、通信部４２は、複合機２とのペアリングによって複合機２と接続し、また、ユーザー端末４におけるデータ移行補助アプリケーションの実行に応じてユーザー端末４と接続する。また、制御部４０は、記憶部４１に記憶されるデータ移行実行プログラムを実行することにより、データ移行実行部４３として機能する。記憶部４１は、データ移行実行部４３によって移行元の複合機２から受信する移行データを記憶する。
【００３２】
データ移行実行部４３は、複合機２のデータ移行処理部３３と同様に、ユーザー端末４のデータ移行補助アプリケーションの実行に応じて、複合機２間で移行データを移行する際に実行される。データ移行実行部４３は、移行元の複合機２（古い複合機２）から移行データを受信して一次記憶するエクスポート機能と、一次記憶している移行データを移行先の複合機２（新しい複合機２）へ送信するインポート機能とを実行する。
【００３３】
先ず、データ移行実行部４３のエクスポート機能について説明する。データ移行実行部４３は、通信部４２を介してユーザー端末４からエクスポート開始要求を受信すると、エクスポート開始要求への応答として、移行元の複合機２へデータ送信要求を送信する。なお、このエクスポート開始要求には、移行元情報が含まれる。そして、データ移行実行部４３は、エクスポート開始要求に含まれる移行元情報に基づいて移行元の複合機２を通信先として識別し、データ送信要求を移行元の複合機２へ送信する。
【００３４】
また、データ移行実行部４３は、データ送信要求への応答として、移行元の複合機２から移行データを受信する。そして、データ移行実行部４３は、受信した移行データを、データ識別情報や移行元情報によって識別可能な状態にして、記憶部４１に記憶することでエクスポートを行う。データ移行実行部４３は、移行データのエクスポートを完了すると、エクスポート完了通知を、通信部４２を介してユーザー端末４へ送信する。
【００３５】
次に、データ移行実行部４３のインポート機能について説明する。データ移行実行部４３は、通信部４２を介して移行先の複合機２から、データ識別情報及び移行先情報を含むインポート開始要求を受信すると、インポート開始要求への応答として、記憶部４１に記憶された移行データを、通信部４２を介して移行先の複合機２へ送信する。このとき、データ移行実行部４３は、データ識別情報に基づいて、記憶部４１から移行データを読み出し、移行先情報に基づいて移行先の複合機２を通信先として識別し、読み出した移行データを移行先の複合機２へ送信する。
【００３６】
次に、ユーザー端末４について説明する。ユーザー端末４は、サーバー３と通信可能で、且つ複合機２との近距離無線通信が可能なスマートフォンやタブレット端末等のコンピュータである。
【００３７】
ユーザー端末４の電気的な構成について図１を参照しながら説明する。ユーザー端末４は、ＣＰＵ等からなる制御部５０と、ＲＯＭやＲＡＭ、ＨＤＤ等からなる記憶部５１とを備える。制御部５０は、記憶部５１に接続されていて、記憶部５１に記憶された制御プログラムや制御用データに基づいて演算処理を実行することにより、制御部５０に接続されたユーザー端末４の各構成要素を制御する。
【００３８】
例えば、制御部５０は、通信部５２に接続されていて、通信部５２は、ネットワーク５を介してサーバー３と通信可能に接続される。通信部５２は、例えば、データ移行補助アプリケーションを実行するときに、サーバー３と接続され、データ移行補助アプリケーションの実行を終了すると、サーバー３との接続を遮断する。
【００３９】
ユーザー端末４は、操作表示部５３及び近距離無線通信部５４を備え、制御部３０は、操作表示部５３及び近距離無線通信部５４等の構成要素に接続されていて、これらの構成要素を制御する。操作表示部５３は、例えば、ポインティングデバイス、キーボードやタッチパネル等の操作部を備えてユーザーからの操作を受け付け、タッチパネルを覆う液晶パネル等の表示器を備えて各種画面を表示する。ポインティングデバイスやキーボードは、タッチパネルに設けられてもよい。
【００４０】
近距離無線通信部５４は、ＮＦＣ等の近距離無線通信によって、複合機２との間で情報信号の送受信を行う。近距離無線通信部５４は、情報信号の送受信を行うために、リーダー／ライター機能や、Ｐ２Ｐ等の機器間通信機能の何れの機能を利用してもよい。これにより、ユーザーは、ユーザー端末４（近距離無線通信部５４）を複合機２（近距離無線通信部１６）に翳したり、接触させたりするタップ操作を行うことで、ユーザー端末４と複合機２との近距離無線通信を可能にする。
【００４１】
制御部５０は、記憶部５１に記憶されるデータ移行補助アプリケーションを実行することにより、データ移行補助部５５として機能する。ユーザー端末４は、ユーザーによる操作表示部５３の操作に応じて、制御部５０が通信部５２を介してサーバー３や他のアプリケーションサーバからデータ移行補助アプリケーションをダウンロードして記憶部５１に記憶する。
【００４２】
データ移行補助部５５は、複合機２間で移行データを移行する際に実行される。データ移行補助部５５は、移行元の複合機２（古い複合機２）やサーバー３のエクスポート機能を補助するエクスポート補助機能や、移行先の複合機２（新しい複合機２）やサーバー３のインポート機能を補助するインポート補助機能を実行する。
【００４３】
ユーザーによる操作表示部５３の操作に応じて、データ移行補助アプリケーションを起動すると、データ移行補助部５５は、例えば、データ移行補助画面を操作表示部５３の表示器に表示する。データ移行補助画面には、エクスポート開始キーやインポート開始キーが操作可能に表示される。データ移行補助部５５は、エクスポート開始キーの操作に応じてエクスポート補助機能を実行し、インポート開始キーの操作に応じてインポート補助機能を実行する。なお、データ移行補助画面には、エクスポート開始キーの操作後、ユーザー端末４の移行元の複合機２に対するタップ操作を指示する指示画面を表示してよく、インポート開始キーの操作後、ユーザー端末４の移行先の複合機２に対するタップ操作を指示する指示画面を表示してよい。
【００４４】
先ず、データ移行補助部５５のエクスポート補助機能について説明する。エクスポート補助機能は、エクスポート開始キーの操作後、ユーザー端末４を移行元の複合機２にタップ操作することで実行される。データ移行補助部５５は、タップ操作に応じて、近距離無線通信部５４を介して移行元の複合機２へエクスポート準備要求を送信する。
【００４５】
また、データ移行補助部５５は、エクスポート準備要求への応答として、移行元情報及びデータ識別情報を、近距離無線通信部１６を介して移行元の複合機２から受信する。なお、データ移行補助部５５は、データ識別情報を記憶部５１に記憶しておく。そして、データ移行補助部５５は、移行元情報を含むエクスポート開始要求を、通信部５２を介してサーバー３へ送信する。
【００４６】
また、データ移行補助部５５は、サーバー３が移行元の複合機２からの移行データの受信（エクスポート）を完了すると、サーバー３からエクスポート完了通知を受信する。データ移行補助部５５は、エクスポート完了通知を操作表示部５３の表示器に表示する。
【００４７】
次に、データ移行補助部５５のインポート補助機能について説明する。インポート補助機能は、インポート開始キーの操作後、ユーザー端末４を移行先の複合機２にタップ操作することで実行される。データ移行補助部５５は、タップ操作に応じて、近距離無線通信部５４を介して移行先の複合機２へ、エクスポート時に記憶部５１に記憶したデータ識別情報を含むインポート準備要求を送信する。
【００４８】
また、データ移行補助部５５は、移行先の複合機２がサーバー３からの移行データの受信（インポート）を完了すると、サーバー３からインポート完了通知を受信する。データ移行補助部５５は、インポート完了通知を操作表示部５３の表示器に表示する。
【００４９】
次に、情報処理システム１における複合機２間の移行データの移行動作の例について図３のフローチャートを参照しながら説明する。
【００５０】
先ず、ユーザーは、移行データのエクスポートを行うために、ユーザー端末４のデータ移行補助アプリケーションを起動した状態でエクスポート開始キーを操作した後、ユーザー端末４を移行元の複合機２に対してタップ操作する（ステップＳ１）。このタップ操作に応じて、ユーザー端末４は、エクスポート準備要求を、移行元の複合機２へ近距離無線通信によって送信する。
【００５１】
このエクスポート準備要求に応答して、移行元の複合機２は、移行元情報及びデータ識別情報を、ユーザー端末４へ近距離無線通信によって送信する（ステップＳ２）。
【００５２】
この移行元情報に応答して、ユーザー端末４は、移行元情報を含むエクスポート開始要求を、サーバー３へネットワーク５を介して送信する（ステップＳ３）。
【００５３】
このエクスポート開始要求に応答して、サーバー３は、エクスポート開始要求に含まれる移行元情報で示される移行元の複合機２に対して、データ送信要求を、ネットワーク５を介して送信する（ステップＳ４）。
【００５４】
このデータ送信要求に応答して、移行元の複合機２は、移行データを、サーバー３へネットワーク５を介して送信する（ステップＳ５）。サーバー３が移行データを記憶することでエクスポートが完了する。
【００５５】
次に、ユーザーは、移行データのインポートを行うために、ユーザー端末４のデータ移行補助アプリケーションを起動した状態でインポートキーを操作した後、ユーザー端末４を移行先の複合機２に対してタップ操作する（ステップＳ６）。このタップ操作に応じて、ユーザー端末４は、エクスポート時に記憶部５１に記憶したデータ識別情報を含むインポート準備要求を、移行先の複合機２へ近距離無線通信によって送信する。
【００５６】
このインポート準備要求に応答して、移行先の複合機２は、移行先情報及びデータ識別情報を含むインポート開始要求を、サーバー３へネットワーク５を介して送信する（ステップＳ７）。
【００５７】
このインポート開始要求に応答して、サーバー３は、データ識別情報に基づいて、エクスポートした移行データを読み出し、また、移行先情報に示される移行先の複合機２に対して、読み出した移行データを、ネットワーク５を介して送信する（ステップＳ８）。
【００５８】
移行先の複合機２が移行データを受信して記憶することでインポートが完了する（ステップＳ９）。
【００５９】
なお、上記した実施形態では、エクスポートを実行する際に、移行元の複合機２が、ユーザー端末４からのエクスポート準備要求に応じて、移行元情報及びデータ識別情報をユーザー端末４へ送信し、ユーザー端末４が、移行元情報を含むエクスポート開始要求をサーバー３へ送信する例を説明したが、本発明はこの例に限定されない。
【００６０】
例えば、他の例として、移行元の複合機２は、ユーザー端末４からのエクスポート準備要求に応じて、データ識別情報のみをユーザー端末４へ送信し、更に、移行元の複合機２が、移行元情報を含むエクスポート開始要求をサーバー３へ送信してもよい。この場合、サーバー３は、移行元の複合機２からエクスポート開始要求を受信して、このエクスポート開始要求に応じて、データ送信要求を移行元の複合機２へ送信することになる。
【００６１】
また、上記した実施形態では、インポートを実行する際に、ユーザー端末４が、データ識別情報を含むインポート準備要求を移行先の複合機２へ送信し、移行先の複合機２が、インポート準備要求に応じて、移行先情報及びデータ識別情報を含むインポート開始要求をサーバー３へ送信する例を説明したが、本発明はこの例に限定されない。
【００６２】
例えば、他の例として、ユーザー端末４は、データ識別情報を含まないインポート準備要求を移行先の複合機２へ送信し、移行先の複合機２が、インポート準備要求に応じて、移行先情報をユーザー端末４へ送信してもよい。この場合、ユーザー端末４は、移行先の複合機２から受信した移行先情報及びデータ識別情報を含むインポート開始要求をサーバー３へ送信する。そして、サーバー３は、ユーザー端末４からインポート開始要求を受信して、このインポート開始要求に応じて、移行データを移行先の複合機２へ送信することになる。
【００６３】
本実施形態によれば、上述のように、情報処理システム１は、データ移行元の複合機２（第１情報処理装置）と、データ移行先の複合機２（第２情報処理装置）と、移行元の複合機２及び移行先の複合機２と所定のネットワーク５を介して通信可能なサーバー３と、移行元の複合機２及び移行先の複合機２と近距離無線通信が可能で、ネットワーク５を介してサーバー３と通信可能なユーザー端末４とを備える。移行元の複合機２は、ユーザー端末４との近距離無線通信に応じて所定の移行データのエクスポートを開始し、所定のデータ識別情報を付加した移行データをサーバー３へ送信し、サーバー３は、移行元の複合機２から移行データを受信して記憶する。移行先の複合機２は、ユーザー端末４との近距離無線通信に応じて移行データのインポートを開始し、サーバー３は、データ識別情報に基づいて移行データを読み出して移行先の複合機２へ送信し、移行先の複合機２は、サーバー３から移行データを受信して記憶する。
【００６４】
これにより、ユーザーは、近距離無線通信が可能なユーザー端末４を利用する簡易な操作で、複合機２間のデータを移行することができる。また、ＵＳＢメモリ等の外部メモリを使用する必要がないので、セキュリティを保護することができる。なお、移行データは、自動的にサーバー３にバックアップされるので、複合機２が故障しても、移行データを復元することができる。
【００６５】
例えば、本実施形態の情報処理システム１では、移行元の複合機２は、エクスポートを開始するとき、移行元の複合機２の移行元情報とデータ識別情報とを近距離無線通信によってユーザー端末４へ送信し、ユーザー端末４は、移行元の複合機２から受信した移行元情報をサーバー３へ送信し、サーバー３は、ユーザー端末４から受信した移行元情報に基づいて移行元の複合機２へデータ送信要求を送信し、移行元の複合機２は、サーバー３から受信したデータ送信要求に応じて、移行データをサーバー３へ送信するとよい。
【００６６】
これにより、エクスポートの実行時に、移行元の複合機２やサーバー３に命令を行う処理系統をユーザー端末４にしてユーザー端末４の優位性を維持しつつ、移行元の複合機２とサーバー３との通信で移行データをエクスポートすることで、ユーザー端末４の処理負担を軽減することができる。
【００６７】
あるいは、本実施形態の情報処理システム１では、移行元の複合機２は、エクスポートを開始するとき、データ識別情報を近距離無線通信によってユーザー端末４へ送信し、移行元の複合機２の移行元情報をサーバー３へ送信し、サーバー３は、移行元の複合機２から受信した移行元情報に基づいて移行元の複合機２へデータ送信要求を送信し、移行元の複合機２は、サーバー３から受信したデータ送信要求に応じて、移行データをサーバー３へ送信してもよい。
【００６８】
これにより、エクスポートの実行時に、ユーザー端末４を介する通信フローを減少することで、ユーザー端末４の処理負担を軽減すると共に、移行データを迅速にエクスポートすることができる。
【００６９】
また、例えば、本実施形態の情報処理システム１では、移行先の複合機２は、インポートを開始するとき、データ識別情報を近距離無線通信によってユーザー端末４から受信し、データ識別情報及び移行先の複合機２の移行先情報をサーバー３へ送信し、サーバー３は、移行先の複合機２から受信したデータ識別情報及び移行先情報に基づいて移行データを移行先の複合機２へ送信するとよい。
【００７０】
これにより、インポートの実行時に、ユーザー端末４を介する通信フローを減少することで、ユーザー端末４の処理負担を軽減すると共に、移行データを迅速にインポートすることができる。
【００７１】
あるいは、本実施形態の情報処理システム１では、移行先の複合機２は、インポートを開始するとき、移行先の複合機２の移行先情報を近距離無線通信によってユーザー端末４へ送信し、ユーザー端末４は、移行先の複合機２から受信した移行先情報及びエクスポートで受信したデータ識別情報をサーバー３へ送信し、サーバー３は、ユーザー端末４から受信したデータ識別情報及び移行先情報に基づいて移行データを移行先の複合機２へ送信してもよい。
【００７２】
これにより、インポートの実行時に、移行先の複合機２やサーバー３に命令を行う処理系統をユーザー端末４にしてユーザー端末４の優位性を維持しつつ、移行先の複合機２とサーバー３との通信で移行データをインポートすることで、ユーザー端末４の処理負担を軽減することができる。
【００７３】
上記実施形態では、複合機２を備える情報処理システム１に本発明の構成を適用する場合について説明したが、他の異なる実施形態では、ユーザー端末４と近距離無線通信が可能であれば、プリンター、複写機、ファクシミリ等の他の画像形成装置や他の電子機器を備える他の情報処理システムに本発明の構成を適用してもよい。
【符号の説明】
【００７４】
１  情報処理システム
２  複合機（画像形成装置）
３  サーバー
４  ユーザー端末
５  ネットワーク
１５  操作表示部
１６  近距離無線通信部
２１  画像形成部
３０  制御部
３１  記憶部
３２  通信部
３３  データ移行処理部
４０  制御部
４１  記憶部
４２  通信部
４３  データ移行実行部
５０  制御部
５１  記憶部
５２  通信部
５３  操作表示部
５４  近距離無線通信部
５５  データ移行補助部
【図１】
2020182097.tif 000003
【図２】
2020182097.tif 000004
【図３】
2020182097.tif 000005